(57)【要約】【課題】建物内の空気経路の汚れを防止し、建物の通気性と気密性を長期に維持するため、ホコリ等が侵入により動作不良を生じにくい床下換気装置を提供する。又、該装置を設け、通気性と気密性を長期に維持可能な通気住宅を提供する。【解決手段】自動開閉機構を備えた断熱・気密型換気装置において、内部の空気経路を複雑化し、ホコリ等の付着部を設けることで、ホコリ等が開閉ダンパーに到達しにくい構造とする。さらに、開閉ダンパーは完全に閉鎖する寸前に隙間を保つことで、風力やダンパーの閉まる際の衝撃により開閉ダンパーに付着した微小なホコリ等を除去可能であり、さらに長期にわたってホコリ付着が防止することが可能となる。又、この床下換気装置を通気住宅の床下換気口に設置することにより、建物内にホコリ等が侵入しにくく、床下空間や小屋裏空間にホコリ等が蓄積しにくい構造となる。【選択図】  図１
2004156842.tif 000002
【特許請求の範囲】
【請求項１】
屋根裏に形成された小屋裏空間と、この小屋裏空間の空気を換気する小屋裏換気部と、床下に形成された床下空間と、この床下空間の空気を換気する床下換気部と、前記両空間を連通する壁体内通気路を有する壁体とを具備する建築物において、床下換気部に設置され、自動開閉機構を備えた断熱・気密型換気装置であって、換気装置本体を通る空気経路が複雑化されたことを特徴とする床下換気装置。
【請求項２】
ホコリやゴミ等を堆積させる付着部を設けたことを特徴とする請求項１に記載の床下換気装置。
【請求項３】
自動開閉機構が開閉ダンパーを有し、該ダンパーが遠隔操作できることを特徴とする請求項１又は２に記載の床下換気装置。
【請求項４】
開閉ダンパーの開閉速度が変更可能であるか、又は開閉中に一時停止する機能を有する請求項１〜３のいずれか一項に記載の床下換気装置。
【請求項５】
断熱性を有する開閉ダンパーを設けたことを特徴とする請求項１〜４のいずれか一項に記載の床下換気装置。
【請求項６】
換気装置本体の内側で開閉ダンパーが取り付けられる開口部と、開閉ダンパーの少なくともいずれか一方には、開口部の周囲に沿って気密部材が設けられていることを特徴とする請求項１〜５のいずれか一項に記載の床下換気装置。
【請求項７】
請求項１〜６のいずれか一項に記載の換気装置を設置したことを特徴とする通気住宅。
【請求項８】
請求項１〜７のいずれか一項に記載の換気装置及び、小屋裏空間に強制換気装置を設置したことを特徴とする通気住宅。
【発明の詳細な説明】
【０００１】
【発明の属する技術分野】
本発明は、砂や土等のホコリが通過しにくい構造を備え、開閉機構を備えた床下に設置する断熱・気密型換気装置、及びそれを設置することを特徴とする通気住宅に関する。
【０００２】
【従来の技術】
日本の高温多湿な気候では、一般的に、外気に開放した床下換気口を基礎に複数設けて床下の換気を行い、家屋の腐朽等を防止する。しかし、冬季においては、建築物内部の防熱のため、冷たい外気の屋内への流入を防止する開閉機構を設けた床下換気装置が提供されている。そして開閉機構を設けた床下換気装置に堆積したホコリ等を装置外に排出する手段が示されている。（例えば特許文献１参照）
また、省エネルギー性や快適性に配慮した住環境をつくるために、建築物の断熱性及び気密性を向上させた高断熱・高気密化建築物が開発され、さらに快適性を高めるため、躯体内に通気層を設け、床下空間と小屋裏空間を連通させた建築物が提供されている。（例えば特許文献２参照）
【０００３】
【特許文献１】特開平１０−２３８８２９号公報（第１図）
【０００４】
【特許文献２】特開平１０−４６６９４号公報（第１図〜第６図）
【０００５】
【発明が解決しようとする課題】
ケーシング内の開閉機構等に付着し、ケーシングに堆積したホコリを装置外に排出する床下換気装置を、通気住宅に設置した場合、床下換気装置がホコリの蓄積により動作不良が生じると、建物の通気性や気密性の低下を引き起こす場合がある。
【０００６】
そこで、ホコリが開閉機構に蓄積しにくい構造の床下換気装置を提供し、また、該床下換気装置を設置することにより、通気性と気密性を長期に維持しうる通気住宅を提供する。
【０００７】
【課題を解決するための手段】
本発明の床下換気装置は、請求項１においては、屋根裏に形成された小屋裏空間と、この小屋裏空間の空気を換気する小屋裏換気部と、床下に形成された床下空間と、この床下空間の空気を換気する床下換気部と、前記両空間を連通する壁体内通気路を有する壁体とを具備する建物において、床下換気部に設置され、自動開閉機構を備えた断熱・気密型換気装置であって、換気装置本体を通る空気経路が複雑化されたことを特徴とする床下換気装置である。
【０００８】
請求項２においては、ホコリやゴミ等を堆積させる付着部を設けたことを特徴とする請求項１に記載の床下換気装置である。
【０００９】
請求項３においては、自動開閉機構が開閉ダンパーを有し、該ダンパーが遠隔操作できることを特徴とする請求項１、又は２に記載の床下換気装置である。
【００１０】
請求項４においては、開閉ダンパーの開閉速度が変更可能であるか、又は開閉中に一時停止する機能を有する請求項１から３のいずれか一項に記載の床下換気装置である。
【００１１】
請求項５においては、断熱性を有する開閉ダンパーを設けたことを特徴とする請求項１から４のいずれか一項に記載の床下換気装置である。
【００１２】
請求項６においては、換気装置本体の内側で開閉ダンパーが取り付けられる開口部と、開閉ダンパーの少なくともいずれか一方には、開口部の周囲に沿って気密部材が設けられていることを特徴とする請求項１から５のいずれか一項に記載の床下換気装置である。
【００１３】
請求項７においては、請求項１から６のいずれか一項に記載の換気装置を設置したことを特徴とする通気住宅である。
【００１４】
請求項８においては、請求項１から７のいずれか一項に記載の換気装置及び、小屋裏換気部に強制換気装置を設置したことを特徴とする通気住宅である。
【００１５】
【発明の実施の形態】
【００１６】
【実施例】
発明の実施の形態を以下図面に基づいて説明する。
【００１７】
図１は空気経路を複雑化した実施形態の一つである。図１に示すように、床下換気装置３は、基礎立ち上がり部１に設けた図示しない基礎開口を塞ぐようにして設置されている。床下換気装置３には外形を形成する換気装置本体５と、その内部に開閉ダンパー７、及び遮風部８と仕切部９、１０が設けられている。また、換気装置本体５の外周には断熱材層４が設けられており、床下換気装置３には外気の取り入れ側に通気可能で、かつ取り外し可能なカバー６を備えている。
【００１８】
換気装置本体５の内部は、遮風部８及び仕切部９、１０により、第１区域１２、第２区域１３、第３区域１４に分割されており、遮風部８は、換気装置本体５の外部に面した開口の上部半分程度を塞いでいる。従って、外部からの空気は、最初に遮風部８に連続した仕切部１０に沿って、換気装置本体５の下半分に設けられた開口から第１区域１２に流入する。この流入空気は、ホコリ、ゴミ等を含んでおり、特に風が強い場合には、その量も多くなる。次に、流入空気は通気開口１５を通って第２区域１３に移動するが、その際、仕切部９によって形成される行止り区域１１に比較的大きなチリやホコリを集め、流入空気が第２区域１３を通り第３区域１４に達する時には、流入空気中のホコリ、ゴミ等の量は減少して、開閉ダンパー７付近に堆積するホコリ、ゴミ等を現象することが可能となる。このことは、ホコリ、ゴミ等の侵入を抑えるだけでなく、開閉ダンパー７の動作不良を発生させにくくする効果がある。
【００１９】
図２は空気経路を複雑化した別の実施形態である。図２に示すように、床下換気装置３は、基礎立ち上がり部１に設けた図示しない基礎開口を塞ぐようにして設置されている。床下換気装置３には外形を形成する換気装置本体５と、その内部に開閉ダンパー７、及び遮風部８と仕切部２０が設けられている。また、換気装置本体５の外側には断熱材層が設けられており、外気取り入れ側に通気可能かつ取り外し可能なカバー６を備えている。
【００２０】
換気装置本体５内部は、遮風部８及び仕切部２０により、第１区域２２、第２区域２３、第３区域２４に分割されている。遮風部８は、換気装置本体５の外部に面した開口の略上半分程度を塞いでいるため、空気は、換気装置本体５の略下半分に設けられた開口から第１区域２２に流入する。次に、流入空気は第２区域２３、第３区域２４に移動するが、その際、仕切部２０にホコリ、ゴミ等が集まり、流入空気中のホコリ、ゴミ等の量は減少して、開閉ダンパー７付近に堆積するチリ、ホコリは微量に抑えることが可能となる。このことは、ホコリ、ゴミ等の侵入を抑えるだけでなく、開閉ダンパー７の動作不良を発生させにくくする効果がある。なお、仕切部の数は図２に示すものに限定されるものではない。
【００２１】
このように、空気経路の複雑化とは、換気装置本体内部に仕切板を複数設けることによって、空気の経路を屈曲させることによって行うものであって、本実施例の形状に限定されるものではない。
【００２２】
ところで、図１、図２は、該換気装置の鉛直断面を示しているが、通風方向を軸に、回転した状態で設置する場合もある。例えば、図１、図２を該換気装置の水平断面とみなした設置向きも可能であり、設置向きについては特にこだわらない。
【００２３】
加えて、複雑化した空気経路の途中には、ホコリの付着部を設けることができる。付着部はホコリやゴミ等を集めやすい密毛状、スポンジ状、また粘着性がある部材を取り付けることにより付着部とすることができる。
【００２４】
図１において、仕切部９にはホコリが堆積しやすいように付着部１６を設けることができ、また、付着部１６を脱着可能とすれば手軽に交換、清掃を行うことができる。あるいは、仕切部９を換気装置本体５から脱着可能としてもよい。同様に、図２において、仕切部２０にはホコリが堆積しやすいように、脱着可能な付着部２５を設け、容易に交換、清掃を行うことができる。または、仕切部２０を本体から脱着可能としてもよい。付着部１６、２５を脱着可能とするとほうがより手軽であり好ましい。また、遮風部８を脱着可能としておくと、本願の換気装置内部の掃除が容易となり好ましい。
【００２５】
なお、空気経路の複雑化の実施例の中で、付着部脱着の作業性において図１の例が好ましい。
【００２６】
さらに、図１、図２においてカバー６は防虫、防鼠の用をなすことができる。金属製、プラスチック製の網、又はパンチングメタル等の通気可能なものであり、網の目開きは３ミリ以下が好ましい。それに加えてカバー部に防塵用のフィルターを設けてもよい。
【００２７】
図３は本発明の床下換気装置３の外観斜視図である。換気装置本体の鉛直断面は円形としているが、円形に限らず、楕円形、矩形でもよい。円形の場合は、基礎立ち上がり部の構造耐力上の欠損となりにくいので好ましい。楕円形、矩形の場合、横長にすることにより基礎開口面積を確保しやすいので換気装置１個あたりの通気量を多くすることができる。
【００２８】
次に開閉ダンパーの構造を説明する。開閉ダンパー７は図４に示すように、換気装置本体５の内寸よりわずかに外寸が小さく、通常は、換気装置本体５の鉛直断面と同形状のダンパー体４０を備えている。例えば、換気装置本体の鉛直断面が円形の場合は、ダンパー体４０の正面形状は円形であり、換気装置本体の縦断面が矩形の場合は、ダンパー体４０の正面形状も矩形であるのが一般的であるが、特にこれに限定されるものではなく、外形と異なる形状であっても差し支えない。
【００２９】
このダンパー体４０は、換気装置本体５の側部に付設した開閉駆動装置に接続した回転軸４１を介して、換気装置本体５内部で回動して、開口部６０を開閉できるように軸支されている。破線は開状態を示す。ダンパー体４０を実線で示した閉止位置とこの閉止位置から略９０度回動した開放位置の間で移動させ、これによって空気経路を開閉できるようになっている。
【００３０】
なお、これらの換気装置本体５、開閉ダンパー７は、金属製、プラスチック製のものが用いられる。金属としては、例えば、ＳＵＳ３０４などのステンレス鋼、アルミなどの金属製が例示でき、プラスチックとしては、例えば、ＡＢＳ、塩化ビニル、ポリエチレン、ポリプロピレンなどの合成樹脂であってもよい。
【００３１】
ダンパー体４０は少なくとも片面に断熱材層５１が形成されていると、開閉ダンパーを閉じて通風換気が停止した際、冬場においても断熱性が低下しにくく、ダンパー体４０の結露発生防止の点で好ましい。
【００３２】
断熱材層５１は断熱性を確保するため、特に限定はないが、具体的には発泡ポリスチレン、発泡ポリウレタン、発泡ポリプロピレンなどの合成発泡樹脂が例示でき、合成樹脂発泡板あるいは該発泡板を貼着してもよい。その他に、無機充填材を含有する塩化ビニル系樹脂又は塩素化塩化ビニル系樹脂を主成分とする発泡体からなる準不燃性以上の材料で構成される断熱材であってもよい。この場合には、断熱性能のみならず、耐火性能、軽量性にも優れているといった利点がある。さらに他の断熱材としては、例えば、アクリル樹脂、塩素化ビニル、フェノール樹脂などから形成された断熱材であってもよい。要は断熱性能を有する合成樹脂であればよく、材質は限定されない。また、その発泡倍率は特に限定されるものではないが、１０〜６０倍、好ましくは１５〜４０倍程度が好ましい。さらに、このような合成樹脂発泡板に限らず、グラスウール、ロックウール等を板状に形成した繊維系のものでも使用可能である。
【００３３】
前記開閉ダンパーが取り付けられる開口部６０とダンパー体４０の少なくともいずれか一方には開口部の周辺に沿って気密性部材５２が設けられていると、開閉ダンパーを閉じて通風換気が停止した際、たとえ冬場であっても気密性が保たれており、熱損失防止の効果が期待できる。この場合、気密性部材としては、弾力性及び粘着性を持ったシーリングテープであるのが好ましい。その一例として、独立気泡よりなる軟質塩化ビニル発泡体を基材とし、片面に粘着材と剥離紙とがついたテープがあり、具体的には鐘淵化学工業（株）の商品名「バンシール」が利用可能である。
【００３４】
開閉ダンパーの回転軸４１は、図４では水平方向に設置しているが、鉛直方向に設置してもよく、特に設置方向にこだわらない。円形の場合、回転軸は開口の中央に設けることが好ましい。矩形の場合は、回転軸は開口の中央に限らず、矩形の一辺に偏る態様も可能であり、ダンパー体の回転軸は換気装置本体５の外装あるいは外装部分付近に取り付けられることも可能である。開口部分の偏りを少なくするためには、中央に設けることが望ましい。
【００３５】
本換気装置の開閉ダンパーの開閉は、遠隔操作によって行うことができ、屋外に出て各々の換気装置の設置場所で開閉する煩雑な作業を省力化できるようになる。特に限定するものではないが、本換気装置の開閉ダンパーの開閉駆動装置を、例えば電動式にすることによって遠隔操作が可能である。あるいは、家屋の一箇所に設けた操作位置から基礎の床下に設置した本発明の換気装置に至るまで、ダンパーの回転軸４１を回転させる操作用ワイヤーを張ることによっても遠隔操作が可能である。
【００３６】
また、開閉駆動装置に温度、湿度、気象に関するセンサーやタイマーを接続し、自動開閉するように構成すると、季節や室内外の温湿度条件に応じ、開閉ダンパーの動作を確実に行うことも可能である。
【００３７】
ところで、開閉ダンパー７は閉鎖時の速度変化が可能であるか、或いは一時停止することが可能である。例えば、駆動装置を電動回転機とする場合、速度変化をより安価で容易に行うためには、図５に示すように、換気装置本体５内部に引掛り７０を設け、引掛り７０により開閉ダンパーの開閉速度を落とすか、或いは一時停止させることが可能である。このようにして、開閉ダンパー７が完全に閉鎖する寸前に開閉ダンパー７と開口部６０との隙間を保持することにより、そこを通過する空気の速度が上がること、また、引っかかり部をダンパー部が通過する際の開閉速度の緩急と閉まる際の衝撃により、開口部６０付近、又はダンパー体４０、或いはそれらに取り付けた気密部材５１に付着した微小なホコリを取り除くことが可能になる。よって、ホコリ等が堆積しにくくなり、開閉ダンパー７の密閉性を維持することが可能となる。
【００３８】
また、本床下換気装置に防火性を持たせるため、開閉ダンパー７は防火シャッターを兼ねることもできる。その場合、開閉ダンパー７と換気装置本体５は金属製とし、火災による温度や煙を感知して開閉ダンパー７が閉鎖する構造とすることも可能である。また、換気装置本体５内部やカバー６に耐火性の熱膨張部材を設け、火災発生時には熱膨張部材の膨張によって通気路を遮断することも可能である。特に、開口部６０の周辺に沿って設け、シール材として使用すると防火性が高く有効である。熱膨張部材は、セラミックファイバー系やゴム系が例示でき、シート状、テープ状、パテ状に区別できる。
【００３９】
上記のような床下換気装置３は、通気住宅に設置することができる。図６は、床下換気装置３を設置することを特徴とする通気住宅の一例を示す概略断面図である。該通気住宅は、断熱材８２が建物全体に張り巡らされており、外装材８４及び屋根材８５の内側に外側通気層９０が形成されている。また、この断熱材８２の内側には、小屋裏空間８６及び床下空間８７と連通して各部屋８８を包括的に囲む内側通気層８９が形成されている。また、外気と床下空間８７とは開閉可能な床下換気口２で適宜連通し、外気と小屋裏空間８６とは棟下近傍で開閉可能な棟下換気口９１により適宜連通する。そして、床下換気口２及び棟下換気口９１をそれぞれ床下開閉ダンパー７及び棟下開閉ダンパー９２により開口させた場合には、床下換気口２から取り入れた空気を、内側通気層８９を通して棟下換気口９１から外部へ排出するように構成して、建築物内の通気性を向上させている。
【００４０】
なお、棟下換気口は小屋裏空間８６の外壁に設けてもよく、同様に、建築物内の通気性を向上させることができる。
【００４１】
本発明の床下換気装置３を床下換気口２にかえて設置することにより、容易に開閉が出来、また、気候条件に適した開閉制御が可能になる。さらに、外部より侵入するホコリを抑止出来るので、自動開閉機構の故障が発生しにくくなり、建築物の通気性と気密性を長期に維持することが可能となる。
【００４２】
このような通気住宅に棟下換気口にファン等の強制換気装置を設けた場合、換気能力を向上、安定させることができるため、床下換気装置の空気経路が複雑化することによっておきる空気抵抗に対処する点で好ましい。
【００４３】
【発明の効果】
以上説明したように、本発明によれば、本体内部が仕切部により仕切られ、空気経路が屈曲することにより複雑化しており、また、ホコリ等の付着部を設けることが可能であるため、本体内部に侵入したホコリが開閉ダンパーに到達しにくい。さらにダンパーが完全に閉鎖する寸前に隙間を保つことにより、ダンパー部を通過する風速が上がり、場合によってはダンパーの閉まる際の衝撃により微小なホコリ等の堆積防止あるいは堆積したホコリを除去することができる。それゆえ、ホコリ等が開閉機構に堆積することによって生ずる開閉動作不良を起こすことが少なく、長期に気密性を保つことが可能である。また、制御や遠隔操作を容易に行うことができ、メンテナンスの手間を軽減することが可能である。この床下換気装置を設置した通気住宅においては、外部から床下空間や小屋裏空間にホコリ等が侵入しにくいので、床下換気装置が開閉動作不良を起こしにくく、長期にわたって通気性と気密性を維持することが可能となる。
【図面の簡単な説明】
【図１】本発明の駆動装置を省略した一実施例に係わる鉛直断面図。
【図２】本発明の駆動装置を省略した別の実施例に係わる鉛直断面図。
【図３】床下換気装置の外観斜視図。
【図４】開閉ダンパーの断面図。
【図５】（図５−１）開閉ダンパーの閉じる寸前の状態を示す断面図、（図５−２）  開閉ダンパーの閉状態を示す断面図。
【図６】本発明の床下換気装置を設置した通気住宅の一例を示す概略断面図。
【符号の説明】
１      基礎
２      床下換気口
３      床下換気装置
４      断熱材層
５      換気装置本体
６      カバー
７      開閉ダンパー
８      遮風部
９      仕切部
１０    仕切部
１１    行止り区域
１２    第１区域
１３    第２区域
１４    第３区域
１５    通気開口
１６    付着部
２０    仕切部
２２    第１区域
２３    第２区域
２４    第３区域
２５    付着部
３０    駆動装置ボックス
４０    ダンパー体
４１    回転軸
５１    断熱材層
５２    気密部材
６０    開口部
７０    引掛り
８０    土台
８２    断熱材
８３    建築物
８４    外装材
８５    屋根材
８６    小屋裏空間
８７    床下空間
８８    各部屋
８９    内側通気層
９０    外側通気層
９１    棟下換気口
９２    棟下開閉ダンパー
【図１】
2004156842.tif 000003
【図２】
2004156842.tif 000004
【図３】
2004156842.tif 000005
【図４】
2004156842.tif 000006
【図５】
2004156842.tif 000007
【図６】
2004156842.tif 000008